(57)【特許請求の範囲】
【請求項１】
１段以上の中継装置を伝送路で接続し、第１の帯域の信号及び第２の帯域の信号が多重化された多重化信号を始端装置から終端装置まで伝送する伝送システムにおいて、
前記１段以上の中継装置のそれぞれは、
前段の装置から受信した多重化信号を前記第１の帯域の信号及び前記第２の帯域の信号に分離し、前記第２の帯域の信号を分岐する帯域分離部と、
前記受信した多重化信号に基づいて障害が検知されたとき、前記第１の帯域に含まれる波長であって、前記前段の装置と自装置との間の伝送路区間を示す波長の障害検出信号を出力する擬似光源と、
前記帯域分離部が分離した前記第１の帯域の信号又は前記擬似光源が出力した障害検出信号と、新たに挿入された前記第２の帯域の信号を多重化した多重化信号を後段の装置に送信する多重化部と、
を備え、
最初の段の中継装置において、前記前段の装置は前記始端装置であって、
最後の段の中継装置において、前記後段の装置は前記終端装置であって、
前記終端装置は、
前記最後の段の中継装置から受信した多重化信号を前記第１の帯域の信号及び前記第２の帯域の信号に分離する帯域分離部と、
前記帯域分離部が分離した前記第１の帯域の信号に基づいて前記１段以上の中継装置のいずれかが備える疑似光源が出力した障害検出信号を検出する検出部とを備えること、
を特徴とする、光伝送システム。
【請求項２】
前記１段以上の中継装置が備える擬似光源が出力する信号は、中継装置ごとに異なる波長の信号であり、
前記終端装置は前記帯域分離部が分離した前記第１の帯域の信号から、任意の波長の信号を通過して前記検出部に出力するフィルタを有すること、
を特徴とする請求項１に記載の光伝送システム。
【発明の詳細な説明】
【技術分野】
【０００１】
本発明は、光伝送システムに関する。
【背景技術】
【０００２】
波長分割多重化（Ｗａｖｅｌｅｎｇｔｈ  Ｄｉｖｉｓｉｏｎ  Ｍｕｌｔｉｐｌｉｃａｔｉｏｎ；ＷＤＭ）は、様々な波長帯域の光信号を１本の光ケーブルで伝送することにより大容量の通信を実現する。ここで、ある段のＷＤＭ装置がサブバンド単位で光信号を分離（ドロップ；ｄｒｏｐ）、挿入（アド；ａｄｄ）又は再送信（パススルー；ｐａｓｓ  ｔｈｒｏｕｇｈ）して、次段のＷＤＭ装置に挿入及び通過した光信号を送信するＯＡＤＭ（Ｏｐｔｉｃａｌ  Ａｄｄ−Ｄｒｏｐ  Ｍｕｌｔｉｐｌｅｘｅｒ；光分岐挿入装置）パススルーシステムが用いられることがある。サブバンドとは、波長が隣接した光信号を数波〜数十波含む波長の帯域のことをいう。また、光伝送システムとして、特許文献１に記載のシステムが知られている。この光伝送システムでは、中継装置が前段から受信した信号のレベルが所定値を下回るとき障害情報を検知し、そのとき警報信号を発生させて送信する。
【先行技術文献】
【特許文献】
【０００３】
【特許文献１】特開平７−３８５０６号公報
【発明の概要】
【発明が解決しようとする課題】
【０００４】
しかしながら特許文献１に記載の光伝送システムでは、終端装置が、どの区間で障害が発生しているか直ちに特定することが困難という問題があった。
【０００５】
本発明は上記の点に鑑みてなされたものであり、障害が発生している区間を直ちに特定することができる光伝送システムに関する。
【課題を解決するための手段】
【０００６】
本発明は上記の課題を解決するためになされたものであり、本発明は、１段以上の中継装置を伝送路で接続し、第１の帯域の信号及び第２の帯域の信号が多重化された多重化信号を始端装置から終端装置まで伝送する伝送システムにおいて、前記１段以上の中継装置のそれぞれは、前段の装置から受信した多重化信号を前記第１の帯域の信号及び前記第２の帯域の信号に分離し、前記第２の帯域の信号を分岐する帯域分離部と、前記受信した多重化信号に基づいて障害が検知されたとき、前記第１の帯域に含まれる波長であって、前記前段の装置と自装置との間の伝送路区間を示す波長の障害検出信号を出力する擬似光源と、前記帯域分離部が分離した前記第１の帯域の信号又は前記擬似光源が出力した障害検出信号と、新たに挿入された前記第２の帯域の信号を多重化した多重化信号を後段の装置に送信する多重化部と、を備え、最初の段の中継装置において、前記前段の装置は前記始端装置であって、最後の段の中継装置において、前記後段の装置は前記終端装置であって、前記終端装置は、前記最後の段の中継装置から受信した多重化信号を前記第１の帯域の信号及び前記第２の帯域の信号に分離する帯域分離部と、前記帯域分離部が分離した前記第１の帯域の信号に基づいて前記１段以上の中継装置のいずれかが備える疑似光源が出力した障害検出信号を検出する検出部とを備えること、を特徴とする、光伝送システムである。
【発明の効果】
【０００７】
本発明によれば、伝送路の障害が発生したときに、障害を検知した中継装置の擬似光源から第１の帯域に含まれる波長であって前段の装置と自装置との間の伝送路区間を示す信号が終端装置で検知されるため、障害が発生した区間を直ちに特定することができる。
【図面の簡単な説明】
【０００８】
【図１】本発明の実施形態に係る伝送システムの概念図である。
【図２】本実施形態に係る伝送システムの構成を示す概略ブロック図である。
【図３】本実施形態に係る各ＷＤＭ装置への出力信号の一例を示す図である。
【図４】本実施形態において、ＷＤＭ区間２−１で障害が発生したことを示す概念図である。
【図５】ＷＤＭ区間２−１での障害発生時における、本実施形態に係る各ＷＤＭ装置への出力信号の例を示す図である。
【図６】本実施形態において、ＷＤＭ区間２−１で障害が発生したことを示す概念図である。
【図７】ＷＤＭ区間２−２での障害発生時における、本実施形態に係る各ＷＤＭ装置への出力信号の例を示す図である。
【発明を実施するための形態】
【０００９】
（第１の実施形態）
以下、図面を参照しながら本発明の実施形態について詳しく説明する。
図１は、本発明の実施形態に係る伝送システムを示す概略図である。この伝送システムは、ＷＤＭ装置１−１〜１−４、ＢＵ（Ｂｒａｎｃｈ  Ｕｎｉｔ；分岐装置）１１−１，１１−２及び光ケーブル、を含んで構成される。ＷＤＭ装置１−１及び１−４は、それぞれ伝送システムの及び始端及び終端であり、ＢＵ１１−１、１１−２及びＷＤＭ装置１−２、１−３を介して光ケーブルで接続されている。ＷＤＭ装置１−２、１−３は、伝送システムを中継し、各々擬似光源を有する。ＷＤＭ区間２−１〜２−３は、ＷＤＭ装置１−１とＢＵ１１−１との間、ＢＵ１１−１とＢＵ１１−２との間、ＢＵ１１−２とＷＤＭ装置１−４との間を接続する光ケーブルの区間である。
【００１０】
図１の例では、ＷＤＭ装置（始端装置）１−１からＷＤＭ装置（終端装置）１−４へ向信号が伝送され、信号が伝送されるＷＤＭ装置の順序を段という。ＷＤＭ装置１−１は、各々異なる波長帯域（以下、単に帯域という）の信号３，４をＷＤＭ装置（中継装置）１−２に送信する。ＷＤＭ装置１−２は、ＷＤＭ装置１−１から受信信号４を分岐し、分岐した信号４に代えて信号４と同一の帯域の信号５を挿入する。ＷＤＭ装置１−２は、信号３、５をＷＤＭ装置（中継装置）１−３に送信する。ＷＤＭ装置１−３は、ＷＤＭ装置１−２から受信した信号５の信号を分岐し、分岐した信号５に代えて信号５と同一の帯域の信号６を挿入する。ＷＤＭ装置１−３は、信号３、６をＷＤＭ装置１−４に送信する。ＷＤＭ装置１−４は、ＷＤＭ装置１−３から信号３，６を受信する。ここで、信号３がＷＤＭ装置１−１から１−４へ一貫して再送信（パススルー）される信号である。即ち、ＷＤＭ装置１−２，１−３がともに信号３を後段のＷＤＭ装置に再送信する。一方、信号４，５及び６は、１区間だけ送受信される信号である。なお、信号４，５及び６の帯域（第２の帯域）は同一であり、信号３の帯域（第１の帯域）とは異なる。
【００１１】
図２は、本発明の実施形態の一例に係る伝送システムを示すブロック図である。
ＷＤＭ装置１−１は、トランスポンダ９−１−１〜９−１−ｍ、９−２−１〜９−２−ｍ、波長多重部８−１−１，８−１−２及び波長帯域多重部８−１−３と、を含んで構成される。
トランスポンダ９−１−１〜９−１−ｍは、各々波長が異なる光信号３−ｔ−１〜３−ｔ−ｍを波長多重部８−１−１に出力する。トランスポンダ９−２−１〜９−２−ｍは、各々波長が異なる光信号４−ｔ−１〜４−ｔ−ｍを波長多重部８−１−２に出力する。
【００１２】
波長多重部８−１−１は、トランスポンダ９−１−１〜９−１−ｍから入力された光信号３−ｔ−１〜３−ｔ−ｍを波長多重し、信号３を生成して波長帯域多重部８−１−３に出力する。波長多重部８−１−２は、トランスポンダ９−２−１〜９−２−ｍから入力された光信号４−ｔ−１〜４−ｔ−ｍを波長多重し、信号４を生成して波長帯域多重部８−１−３に出力する。波長帯域多重部８−１−３は、波長多重部８−１−１から入力された信号３と、波長多重部８−１−２から入力された信号４とを、さらに波長多重する。波長帯域多重部８−１−３は、さらに波長多重した波長多重信号をＷＤＭ区間２−１及びＢＵ１１−１を介してＷＤＭ装置１−２に送信する（図３（１）参照）。
【００１３】
ＷＤＭ装置１−２は、擬似光源７−１、波長分離部８−２−２、波長帯域分離部８−２−３、波長帯域多重部８−２−６、トランスポンダ９−４−１〜９−４−ｍ、９−６−１〜９−６−ｍとを含んで構成される。
波長帯域分離部８−２−３は、ＷＤＭ装置１−１から入力された波長多重信号を信号３と信号４に分離する。波長帯域分離部８−２−３は、分離した信号３を波長帯域多重部８−２−６に出力（パススルー）し、信号４を波長分離部８−２−２に出力する。
波長分離部８−２−２は、波長帯域分離部８−２−３から入力された信号４を各帯域の信号に分離し、分離（ドロップ）信号としてトランスポンダ９−４−１〜９−４−ｍに出力する。
トランスポンダ９−６−１〜９−６−ｍは、分離信号と同じ帯域の挿入（アド）信号５−t−１〜５−ｔ−ｍを波長多重部８−２−５に出力する。
【００１４】
波長多重部８−２−５は、挿入（アド）信号５−ｔ−１〜５−ｔ−ｍを波長多重し、波長多重した信号５を波長帯域多重部８−２−６に出力する。トランスポンダ９−４−１〜９−４−ｍは、ＷＤＭ区間２−１で生じたケーブル障害を検知する。例えば、トランスポンダ９−４−１〜９−４−ｍで受信される信号のレベルが、予め設定された閾値以下の場合にＷＤＭ区間２−１のケーブルで障害が発生したことを検知する。この場合、トランスポンダ９−４−１〜９−４−ｍは、障害検知信号を擬似光源７−１に出力する。
【００１５】
擬似光源７−１は、トランスポンダ９−４−１〜９−４−ｍから障害検知信号が入力された場合、信号７−３を波長帯域多重部８−２−６に出力する。信号７−３の波長は、他のＷＤＭ装置の擬似光源が出力する信号の波長とは異なる波長であって、再送信（パススルー）される信号３の帯域に含まれる。この帯域の信号は、終端のＷＤＭ装置１−４まで伝送され、信号４と同一の帯域の信号は次段のＷＤＭ装置１−３で分離される。
【００１６】
波長帯域多重部８−２−６は、信号３及び波長多重部８−２−５から入力された信号５を波長多重する。波長帯域多重部８−２−６は、波長多重された波長多重信号をＷＤＭ装置１−３に出力する。なお、ＷＤＭ区間２−１でケーブル障害が発生した場合には、波長帯域多重部８−２−６は、信号７−３及び信号５を波長多重する。波長帯域多重部８−２−６は、波長多重された波長多重信号をＷＤＭ装置１−３に出力する（図３（２）参照）。
【００１７】
ＷＤＭ装置１−３も、擬似光源７−２、波長分離部８−３−２、波長帯域分離部８−２−３、波長帯域多重部８−３−６、トランスポンダ９−８−１〜９−８−ｍ、９−１０−１〜９−１０−ｍとを含んで構成される。ＷＤＭ装置１−２と機能及び構成が同様であるため、詳しい説明は省略する。
但し、ＷＤＭ装置１−３は、信号５を分離し、分離された信号５に代え信号５と同一の帯域の信号６を挿入する。ＷＤＭ装置１−３は、再送信された信号３と挿入された信号６を波長多重する。ＷＤＭ装置１−３は、波長多重した波長多重信号をＷＤＭ装置１−４に出力する。
なお、ＷＤＭ区間２−２でケーブル障害が発生した場合には、波長帯域多重部８−３−６は、信号７−４及び信号６を波長多重し、波長多重信号をＷＤＭ装置１−４に出力する（図３（３）参照）。信号７−４の波長は、信号７−２とは異なるが信号３の帯域に含まれる。
【００１８】
ＷＤＭ装置１−４は、フィルタ７−５、ＰＤ（光検出器；Ｐｈｏｔｏ  Ｄｉｔｅｃｔｏｒ）７−６、波長分離部８−４−１、８−４−２、波長帯域分離部８−４−３及びトランスポンダ９−１１−１〜９−１１−ｍ、９−１２−１〜９−１２−ｍとを含んで構成される。
波長帯域分離部８−４−３は、ＷＤＭ装置１−３から入力された波長多重信号を各帯域の信号３及び６に分離する。波長帯域分離部８−４−３は、分離した信号３を波長分離部８−４−１に出力し、分離した信号６を波長分離部８−４−２に出力する。
波長分離部８−４−１は、波長帯域分離部８−４−３から入力された信号３を各波長に分離する。波長分離部８−４−１は、各波長に分離した信号３−ｔ−１〜３−ｔ−ｍをトランスポンダ９−１１−１〜９−１１−ｍに出力する。
波長分離部８−４−２は、波長帯域分離部８−４−３から入力された信号６を各波長に分離する。波長分離部８−４−２は、各波長に分離した信号６−ｔ−１〜６−ｔ−ｍをトランスポンダ９−１２−１〜９−１２−ｍに出力する。
【００１９】
なお、波長帯域分離部８−４−３は、信号３と同一の帯域の信号をフィルタ７−５にも出力する。フィルタ７−５は、波長帯域分離部８−４−３から入力された信号３と同一の帯域の信号から、擬似光源７−１又は７−２が送信する信号と同一の波長の成分だけを透過し、透過した信号をＰＤ７−６に出力する。ＰＤ７−６は、擬似光源７−１又は７−２が送信する信号７−３又は７−４を検知する。
フィルタ７−５は、例えば、透過しようとする信号の波長（透過波長）を任意に変更できる可変フィルタである。この場合、ＰＤ７−６が、信号７−３又は７−４を検出することにより、その波長の信号を出力する擬似光源７−１又は７−２を特定する。従って、ＷＤＭ装置１−４は、擬似光源７−１と特定した場合には、ＷＤＭ装置１−２の直前段つまりＷＤＭ装置１−１との間のＷＤＭ区間２−１をケーブル障害が発生した区間と特定する。一方、ＷＤＭ装置１−４は、擬似光源７−２と特定した場合には、ＷＤＭ装置１−３の直前段つまりＷＤＭ装置１−２との間のＷＤＭ区間２−２をケーブル障害が発生した区間と特定する。
【００２０】
以下、本実施形態に係る伝送システムの動作について説明する。
まず、ＷＤＭ区間２−１において、ケーブル障害が発生した場合の動作について説明する（図４参照）。この場合、ＷＤＭ装置１−２への信号の入力がなくなる（図５（１）参照）。ＷＤＭ装置１−２のトランスポンダ９−４−１〜９−４−ｍは、ＷＤＭ区間２−１のケーブルで障害が発生したことを検知し、障害検知信号を擬似光源７−１に出力する。擬似光源７−１は、トランスポンダ９−４−１〜９−４−ｍから障害検知信号を入力されたとき、信号７−３を波長帯域多重部８−２−６に出力する。波長帯域多重部８−２−６は、信号７−３と波長多重部８−２−５から入力された信号５を波長多重する。波長帯域多重部８−２−６は、波長多重した波長多重信号をＷＤＭ装置１−３に出力する（図５（２）参照）。
【００２１】
ＷＤＭ装置１−３の波長帯域分離部８−３−３は、ＷＤＭ装置１−２から入力された信号を分離する。ここで、信号７−３の波長は、再送信されるべき信号３の帯域に含まれるため、波長帯域分離部８−３−３は、信号７−３を波長帯域多重部８−３−６に出力する。波長帯域分離部８−３−３は、信号７−３と波長多重部８−３−５から入力された信号６を波長多重する。波長帯域分離部８−３−３は、波長多重された波長多重信号をＷＤＭ装置１−４に出力する（図５（３）参照）。
【００２２】
ＷＤＭ装置１−４の波長帯域分離部８−４−３は、ＷＤＭ装置１−３から入力された信号７−３をフィルタ７−５に出力する。フィルタ７−５は、波長帯域分離部８−４−３から入力された信号７−３をＰＤ７−６へ通過する。ここで、フィルタ７−５は、信号の通過波長を変更可能な可変フィルタであり、ある波長の信号を通過する場合は、他の波長の信号を通過しない。これにより、ＰＤ７−６は、信号７−３を検知し、信号７−３による障害検知信号をトランスポンダ９−１１−１〜９−１１−ｍに出力する。
【００２３】
トランスポンダ９−１１−１〜９−１１−ｍは、波長分離部８−４−１からの信号３から各波長に分離された信号の入力がないとき、障害検知信号を出力する。但し、トランスポンダ９−１１−１〜９−１１−ｍは、ＰＤ７−６から信号７−３による障害検知信号を入力されたとき、障害検知信号の出力を停止する。このような、トランスポンダ９−１１−１〜９−１１−ｍからの障害検知信号は、ＷＤＭ区間２−１における障害検知には不必要である。よって、ＷＤＭ装置１−４は、信号７−３による障害検知信号だけを出力し、信号７−３を出力する擬似光源７−５を有するＷＤＭ装置１−１の直前段であるＷＤＭ区間２−１において障害が発生したことが検知される。
【００２４】
なお、ＷＤＭ区間２−３においてケーブルの障害が生じた場合には、ＷＤＭ装置１−４において信号３の入力も、信号６の入力もなくなる。このとき、上述のように、トランスポンダ９−１１−１〜９−１１−ｍは、障害検知信号を出力する。トランスポンダ９−１２−１〜９−１２−ｍも、波長分離部８−４−２から入力されるべき信号６を各波長に分離した信号を検知しないため、障害検知信号を出力する。これにより、ＷＤＭ装置１−４の直前段であるＷＤＭ区間２−３における障害とＷＤＭ装置１−１の直前段であるＷＤＭ区間２−１における障害を区別することができる。
【００２５】
次に、ＷＤＭ区間２−２において、ケーブル障害が発生した場合の動作について説明する（図６参照）。この場合、ＷＤＭ装置１−２は、ＷＤＭ装置１−１から信号３と信号４との波長多重信号を入力される（図７（１）参照）。他方、ＷＤＭ装置１−３は、ＷＤＭ装置１−２から信号３と信号５との波長多重信号を入力しない（図７（２）参照）。このとき、トランスポンダ９−８−１〜９−８−ｍは、いずれも障害検知信号を擬似光源７−２に出力する。擬似光源７−２は、トランスポンダ９−８−１〜９−８−ｍから障害検知信号を入力されたとき、信号７−４を波長帯域多重部８−３−６に出力する。
【００２６】
波長帯域多重部８−３−６は、信号７−４と波長多重部８−３−５から入力された信号６とを波長多重する。波長帯域多重部８−３−６は、波長多重信号をＷＤＭ装置１−４に出力する（図７（３）参照）。ここで、信号７−４の波長は、信号３の帯域に含まれるが、信号７−３の波長とは異なる。
【００２７】
ＷＤＭ装置１−４の波長帯域分離部８−４−３は、ＷＤＭ装置１−３から入力された信号７−４をフィルタ７−５に入力する。フィルタ７−５は、波長帯域分離部８−４−３から入力された信号７−４をＰＤ７−６へ通過する。ＰＤ７−６は、信号７−４を検知し、信号７−４による障害検知信号をトランスポンダ９−１１−１〜９−１１−ｍに出力する。
トランスポンダ９−１１−１〜９−１１−ｍは、波長分離部８−４−１からの信号３を分離した各波長の信号の入力がなければ障害検知信号を出力する。しかし、トランスポンダ９−１１−１〜９−１１−ｍは、ＰＤ７−６から信号７−４による障害検知信号を入力したとき、障害検知信号を出力しない。このような、トランスポンダ９−１１−１〜９−１１−ｍから出力される障害検知信号は、ＷＤＭ区間２−２における障害の検知には不必要である。
【００２８】
よって、ＷＤＭ装置１−４は、ＷＤＭ装置１−３が送信した信号７−４に基づく障害検知信号のみ出力し、ＷＤＭ装置１−３の直前段のＷＤＭ区間２−２において障害が発生したことが検知される。なお、ＷＤＭ区間２−２における障害も、ＷＤＭ区間２−１における障害と同様に、ＷＤＭ区間２−３における障害と区別できる。
【００２９】
このように、本実施形態では、ＷＤＭ装置１−２、１−３は、前段の装置から受信した多重化信号を第１の帯域の信号３及び第２の帯域の信号４、５に分離し、信号４、５を分岐する波長帯域分離部と、信号３と新たに挿入され信号５、６を多重化して多重化信号を後段に送信する波長帯域多重化部と、受信した多重化信号に基づいて障害が検知されたとき、第１の帯域に含まれる波長の信号であって、ＷＤＭ装置１−１、１−２とＷＤＭ装置１−２、１−３（自装置）との間のＷＤＭ区間２−１、２−２を示す波長の信号を波長帯域多重化部に出力する擬似光源７−１、７−２とを有する。ＷＤＭ装置１−４は、ＷＤＭ装置１−３から受信した多重化信号を信号３、６に分離する波長帯域分離部と、擬似光源７−１、７−２からの信号を検出するＰＤ７−６とを備える。
【００３０】
そのため、伝送路に障害が発生すると、障害が発生した区間の直後の段の中継装置の擬似光源が第１の帯域に含まれる波長であって前段の装置と自装置との間の伝送路区間を示す信号が出力し、その信号が終端装置で検知される。そのため、障害が発生した区間が直ちに特定される。
また、擬似光源が出力する信号は、伝送路区間を示すものとして中継装置ごとに異なる波長の信号であってもよく、その際に、終端装置は第１の帯域の信号から、任意の波長の信号を通過して検出部に出力するフィルタを有してもよい。
上述した実施形態では、ＷＤＭ装置が１−２、１−３の２台の例について説明したが、３台以上であってもよい。
【００３１】
また、上述した実施形態では、再送信される信号の帯域数と分岐・挿入される信号の帯域数が、各々１個の例について説明したが、各々任意の自然数でもよい。また、信号３に対するトランスポンダの数と信号４〜６に対するトランスポンダの数が各々ｍ台の例について説明したが、各々ｎ台、ｌ台（ｎ、ｌは、何れも任意の自然数）でもよい。
【００３２】
なお、上述した実施形態におけるＷＤＭ装置１−１〜１−４の一部、例えば、トランスポンダ部９−４−１〜９−４−ｍ、９−８−１〜９−８−ｍ、９−１１−１〜９−１１−ｍ、９−１２−１〜９−１２−ｍ、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＷＤＭ装置１−１〜１−４に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるＷＤＭ装置１−１〜１−４の一部、または全部を、ＬＳＩ（Ｌａｒｇｅ  Ｓｃａｌｅ  Ｉｎｔｅｇｒａｔｉｏｎ）等の集積回路として実現しても良い。ＷＤＭ装置１−１〜１−４の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００３４】
１−１〜１−４…ＷＤＭ装置、
７−１、７−２…擬似光源、７−５…フィルタ、７−６…ＰＤ
８−１−１、８−１−２、８−２−５、８−３−５…波長多重部、
８−１−３、８−２−６、８−３−６…波長帯域多重部、
８−２−２、８−３−２、８−４−１、８−４−２…波長分離部、
８−２−３、８−３−４、８−４−３…波長帯域分離部、
１１−１、１１−２…ＢＵ
【図１】
0005664163.tif 000002
【図２】
0005664163.tif 000003
【図３】
0005664163.tif 000004
【図４】
0005664163.tif 000005
【図５】
0005664163.tif 000006
【図６】
0005664163.tif 000007
【図７】
0005664163.tif 000008